(57)【要約】【課題】調圧弁の不具合や開放による弁体の一次側の圧力と二次側の圧力との逆転を禁止して弁体の開放を回避し、警報器の誤作動を確実に防止することができる流水検知装置を提供する。【解決手段】スプリンクラー管１２の管路を平常時に一次側通路１２１と二次側通路１２２とに区画するように閉鎖する一方火災発生時に二次側通路１２２の圧力低下により一次側通路１２１を二次側通路１２２に連通させるように開放する弁体２２を備え、この弁体２２の開放時に流出する加圧水を検知して警報器に作動信号を送出するようにした流水検知装置２を前提とする。弁体２２の一次側通路１２１と二次側通路１２２との間に、弁体２２をバイパスするバイパス管２７を設けるとともに、バイパス管２７に、弁体２２の一次側通路１２１の圧力に対する二次側通路１２２の圧力が予め設定した圧力差を上回ったときにバイパス管２７の二次側を当該バイパス管２７の一次側に開放して調圧する調圧弁５を設けている。【選択図】図２
2015097615.tif 000002
【特許請求の範囲】
【請求項１】
スプリンクラー管の管路を平常時に一次側と二次側とに区画するように閉鎖する一方火災発生時に二次側の圧力低下により一次側を二次側に連通させるように開放する弁体を備え、この弁体の開放時に警報器に作動信号を送出するようにした流水検知装置において、
前記弁体の一次側と二次側との管路間には、前記弁体をバイパスするバイパス管が設けられているとともに、
前記バイパス管には、前記弁体の一次側の圧力に対する二次側の圧力が予め設定した圧力差を上回ったときに前記バイパス管の二次側を当該バイパス管の一次側に開放して調圧する調圧弁が設けられていることを特徴とする流水検知装置。
【請求項２】
前記調圧弁は、前記バイパス管の一次側及び二次側が連通する連通室内に設けられ、かつその二次側の連通口を一次側から閉弁する調圧弁体と、この調圧弁体を前記連通室の二次側の連通口に対し閉弁方向に付勢する付勢手段とを備え、
前記付勢手段は、前記弁体の一次側の圧力に対する二次側の圧力が前記圧力差を上回ったときに閉弁方向の付勢力に抗して前記調圧弁体を開弁させている請求項１に記載の流水検知装置。
【請求項３】
前記バイパス管には、前記調圧弁よりも二次側において当該バイパス管の二次側からの異物を捕獲する捕獲手段が設けられている請求項１又は請求項２に記載の流水検知装置。
【請求項４】
前記バイパス管には、前記調圧弁よりも一次側及び前記捕獲手段よりも二次側においてそれぞれ管路を開閉する開閉弁が設けられている請求項３に記載の流水検知装置。
【請求項５】
前記バイパス管には、前記弁体の一次側の圧力を検出する一次側圧力検出手段と、前記弁体の二次側の圧力を検出する二次側圧力検出手段とが設けられている請求項１〜請求項４のいずれか１つに記載の流水検知装置。
【発明の詳細な説明】
【技術分野】
【０００１】
本発明は、水源からスプリンクラーヘッドに至るスプリンクラー管の管路を平常時に一次側と二次側とに区画するように閉鎖する一方火災発生時に二次側の圧力低下により一次側を二次側に連通させるように開放する弁体を備え、この弁体の開放時に警報器に作動信号を送出するようにした流水検知装置に関する。
【背景技術】
【０００２】
一般に、ビルやマンションなどに設置されるスプリンクラーシステムは、一本の送水管から分岐する複数系統のスプリンクラー管を備え、火災発生時には、スプリンクラーヘッドの作動により圧力の下がった系統のスプリンクラー管にのみ、送水管から送水されるようになっている。
【０００３】
つまり、各スプリンクラー管は、それぞれ独立して機能するように流水検知装置を介して送水管に連結されている。
【０００４】
この流水検知装置は、スプリンクラー管の管路を平常時に一次側（供給側）と二次側（排出側）とに区画するように閉鎖する弁体を備えている。そして、火災発生時にスプリンクラーヘッドが作動して弁体の二次側の圧力が低下すると、弁体はその一次側を二次側に連通させるように開放してスプリンクラーヘッドへの通水を行う。このとき、弁体の開放時に警報器に作動信号を送出する。
一方、平常時には、スプリンクラー管内の消火流体は、供給側となる一次側と、排出側となる二次側とが、ほぼ同圧あるいは、二次側の方が一次側よりも若干高圧（一次側≦二次側）になっており、弁体は、平常時に閉鎖状態が保持される。なお、弁体の一次側の圧力は、送水管に連結された圧力水槽で一定に維持されている。
【０００５】
ところで、スプリンクラー管の弁体の二次側は、天井面で区画された天井裏スペースに敷設される関係上、空気が滞留して気温の上昇による熱の影響を受け易く、特に夏期などにおいては内部の消火流体が熱により膨張し、弁体の二次側の圧力が著しく増大することがある。その場合、弁体の二次側の圧力が著しく増大すると、スプリンクラー管の配管機材やスプリンクラーヘッドに負荷が掛かり、消火流体が漏洩するおそれがある。
【０００６】
そこで、従来より、スプリンクラー管の弁体の二次側に、排出管に連通する配管を接続し、この配管に、弁体の二次側の圧力が予め設定した圧力値を上回ったときに開放する調圧弁を設けることで、弁体の二次側の消火流体を配管から排出管に排出し、当該弁体の二次側で増大した圧力を下げるようにしたものが知られている（特許文献１参照）。
【先行技術文献】
【特許文献】
【０００７】
【特許文献１】特開２０１１−２２６６０９号公報
【発明の概要】
【発明が解決しようとする課題】
【０００８】
ところが、前記従来のものでは、調圧弁の開放時に弁体の二次側の消火流体が配管から排出管に排出されるため、弁体の二次側の消火流体の排出が調圧弁の開放のみに依存されることになる。これでは、調圧弁に不具合が発生すると、弁体の二次側の消火流体が過分に排出管に排出されてしまうおそれがある。また、調圧弁が弁体の二次側の圧力のみに基づいて開放するため、寒暖による弁体の二次側での体積変化に起因する加圧水の圧力変化などによって弁体の一次側の圧力が高くなっていると、調整弁の開放によって一次側の圧力が二次側の圧力を上回ってしまうおそれもある。
【０００９】
これでは、弁体の一次側の圧力と二次側の圧力とが逆転して弁体が開放し、警報器の誤作動が危惧される。
【００１０】
本発明は、かかる点に鑑みてなされたものであり、その目的とするところは、調圧弁の不具合や開放による弁体の一次側の圧力と二次側の圧力との逆転を禁止して弁体の開放を回避し、警報器の誤作動を確実に防止することができる流水検知装置を提供することにある。
【課題を解決するための手段】
【００１１】
前記目的を達成するため、本発明では、スプリンクラー管の管路を平常時に一次側と二次側とに区画するように閉鎖する一方火災発生時に二次側の圧力低下により一次側を二次側に連通させるように開放する弁体を備え、この弁体の開放時に警報器に作動信号を送出するようにした流水検知装置を前提とする。そして、前記弁体の一次側と二次側との管路間に、前記弁体をバイパスするバイパス管を設けるとともに、前記バイパス管に、前記弁体の一次側の圧力に対する二次側の圧力が予め設定した圧力差を上回ったときに前記バイパス管の二次側を当該バイパス管の一次側に開放して調圧する調圧弁を設けることを特徴としている。
【００１２】
また、前記調圧弁に、前記バイパス管の一次側及び二次側が連通する連通室内に設けられ、かつその二次側の連通口を一次側から閉弁する調圧弁体と、この調圧弁体を前記連通室の二次側の連通口に対し閉弁方向に付勢する付勢手段とを設ける。そして、前記付勢手段は、前記弁体の一次側の圧力に対する二次側の圧力が前記圧力差を上回ったときに閉弁方向の付勢力に抗して前記調圧弁体を開弁させることが好ましい。
【００１３】
また、前記バイパス管に、前記調圧弁よりも二次側において当該バイパス管の二次側からの異物を捕獲する捕獲手段を設けることが好ましい。
【００１４】
また、前記バイパス管に、前記調圧弁よりも一次側及び前記捕獲手段よりも二次側においてそれぞれ管路を開閉する開閉弁を設けることが好ましい。
【００１５】
更に、前記バイパス管に、前記弁体の一次側の圧力を検出する一次側圧力検出手段と、前記弁体の二次側の圧力を検出する二次側圧力検出手段とを設けることが好ましい。
【発明の効果】
【００１６】
以上、要するに、弁体の一次側と二次側との管路間に当該弁体をバイパスするバイパス管を設け、このバイパス管に、弁体の一次側の圧力に対する二次側の圧力が予め設定した圧力差を上回ったときにバイパス管の二次側を一次側に開放して調圧する調圧弁を設けることで、調圧弁の開放時に弁体の二次側の消火流体が一次側に排出されることになる。このため、調圧弁の開放時に弁体の二次側の消火流体には一次側の圧力が常時作用することになり、調圧弁の不具合や開放による弁体の一次側の圧力と二次側の圧力との逆転を禁止して弁体の開放を回避し、警報器の誤作動を確実に防止することができる。
【００１７】
また、連通室内の調圧弁体を二次側の連通口に対し一次側から閉弁方向に付勢する付勢手段を設け、この付勢手段によって、弁体の一次側の圧力に対する二次側の圧力が予め設定した圧力差を上回ったときに付勢力に抗して連通室の二次側の連通口を開放させることで、弁体の一次側の圧力に対する二次側の圧力が予め設定した圧力差を上回れば、調圧弁が付勢手段の付勢力に抗して開弁し、弁体の二次側で増大した圧力を自動的に下げることができる。
【００１８】
また、バイパス管の調圧弁よりも二次側において当該バイパス管の二次側からの異物を捕獲する捕獲手段を設けることで、調圧弁への異物の侵入を防止して調圧弁の不具合を効果的に回避することができる。
【００１９】
また、調圧弁よりも一次側及び捕獲手段よりも二次側においてそれぞれ管路を開閉する開閉弁をバイパス管に設けることで、調圧弁及び捕獲手段のメンテナンス時及び交換時などに開閉弁を閉弁して弁体の一次側及び二次側からの消火流体の流通を防止し、調圧弁及び捕獲手段のメンテナンス作業及び交換作業を円滑に行うことができる。しかも、両開閉弁のうちの二次側の開閉弁のみを閉弁することで、バイパス管への消火流体の流通が遮断され、天井裏スペースで空気が滞留して気温の上昇による熱の影響を受け易い夏期以外のシーズンなどに流水検知装置を通常状態に戻して使用することができる。
【００２０】
更に、バイパス管に弁体の一次側及び二次側の圧力を検出する一次側及び二次側圧力検出手段をそれぞれ設けることで、一次側及び二次側圧力検出手段をそれぞれ個別にスプリンクラー管の管路に設ける必要がなく、バイパス管を利用して一次側及び二次側圧力検出手段をそれぞれ設けることができる。
【図面の簡単な説明】
【００２１】
【図１】本発明の第１の実施の形態に係る流水検知装置を備えたスプリンクラーシステムを概略的に示す構成図である。
【図２】図１の流水検知装置の構成を示す断面図である。
【図３】図１の流水検知装置のバイパス管に設けられる調圧弁の側面図である。
【図４】図３のＸ−Ｘ線における断面図である。
【図５】本発明の第２の実施の形態に係る流水検知装置の構成を示す断面図である。
【図６】本発明の第３の実施の形態に係る流水検知装置の構成を示す断面図である。
【図７】各実施の形態の変形例に係る調圧弁の断面図である。
【図８】各実施の形態のその他の変形例に係る調圧弁の断面図である。
【図９】各実施の形態のその他の変形例に係る調圧弁の断面図である。
【発明を実施するための形態】
【００２２】
以下、本発明を図示した実施の形態に基づき詳細に説明する。
【００２３】
図１は本発明の第１の実施の形態に係る流水検知装置を備えたスプリンクラーシステムを概略的に示す構成図であって、２は流水検知装置である。この流水検知装置２は、スプリンクラーシステムに組み込まれ、使用されるものである。
【００２４】
先ず、本発明の流水検知装置２が使用されるスプリンクラーシステムについて簡単に説明すると、一般にスプリンクラーシステムは、一本の送水管１１を分岐するように、この送水管１１に複数系統のスプリンクラー管１２，１２が連結されており、火災時には、スプリンクラーヘッド１３，１３，…の作動により圧力の下がった系統のスプリンクラー管１２にのみ、通水されるようになっている。そのため、各スプリンクラー管１２は、独立して機能するように、それぞれの送水管１１側には、スプリンクラー管１２の末端側の圧力低下により、その管路を開放してスプリンクラーヘッド１３，１３，…への通水を行うと同時に、この通水に連動してスプリンクラーポンプ１４や、通水がなされた系統の警報器１５に作動信号を送出する流水検知装置２が設けられている。
【００２５】
図２は流水検知装置２の構成を示す断面図であって、この流水検知装置２は、送水管１１に連結されたスプリンクラー管１２の管路中に介設された弁体ハウジング２０と、この弁体ハウジング２０内に設けられた流通路２１を開閉する弁体２２とを備えている。弁体２２は、弁体ハウジング２０内に設けられた弁座部２３に対し閉弁時に着座する弁体部２４と、弁体ハウジング２０内に支持された軸２５回りに弁体部２４を回動させて流通路２１を開閉するアーム２６とを備えている。この場合、弁体ハウジング２０は、スプリンクラー管１２の送水管１１側の一次側配管１２１とスプリンクラーヘッド１３側の二次側配管１２２との間に介装され、複数のボルト２０１及びナット２０２により締結されている。
【００２６】
また、スプリンクラー管１２内には、加圧水（消火流体）が充填されている。この加圧水は、送水管１１側の一次側配管１２１（図２においてＡで示す）と、スプリンクラーヘッド１３側の二次側配管１２２（図２においてＢで示す）とが、ほぼ同圧あるいは、二次側配管１２２の方が一次側配管１２１よりも高圧（Ａ≦Ｂ）になるように設定されている。したがって、軸２５で回動自在に枢着された弁体２２は、平常時、図２に示す閉弁状態を維持するようになっている。なお、この一次側配管１２１の加圧水の圧力は、送水管１１に連結された圧力水槽１６で一定に保たれるようになっている。
【００２７】
弁体部２４が着座する弁座部２３には、図示しない信号水路に連通した中間室が開口している。この信号水路は、信号停止弁３２を介して三方管３３の内部に連通している。この三方管３３は、信号停止弁３２に連結されているとともに、排水部３４を介して排水管１０に連結されている。また、三方管３３には、先端（下流端）に警報用圧力スイッチ３５が取り付けられた圧力スイッチ取付管３６の基端（上流端）が連結されている。そして、三方管３３の排水部３４側には、排水部３４（排水管１０）からの水の逆流を防止する逆止弁（図示せず）が設けられている。また、スプリンクラーシステムでは、スプリンクラーヘッド１３の点検や交換などによりスプリンクラー管１２内の水を抜く必要が生じた場合、その作業を行う系統のスプリンクラー管１２の一次側配管１２１に設けられた制御弁３７を閉め、一次側配管１２１からの送水を遮断することにより、流水検知装置２の弁体２２が回動しないようにし、この状態で、スプリンクラー管１２の二次側に連通する連通管３８に設けられた排水弁３９を開放することにより、スプリンクラー管１２内に溜まった水を連通管３８を介して排水部３４から排水管１０に排水するようにしている。この場合、排水管１０の下流端と末端試験弁用排水管４０の下流端とは互いに合流しており、その合流した水が、横方向に延びる長尺な合流管４１を経て屋外の側溝４２などに排出される。
【００２８】
ここで、流水検知装置２の機能について説明する。
【００２９】
まず、火災発生時、スプリンクラーヘッド１３，１３，…が火災を検知し、作動放水すると、スプリンクラー管１２の一次側配管１２１の水圧に比べて二次側配管１２２の水圧が著しく低下（Ａ＞Ｂ）するので、弁体２２が開弁し、スプリンクラー管１２の管路を開放する。この弁体２２によるスプリンクラー管１２の管路の開放時つまり弁体２２の開弁時に、流水の一部が中間室を介して信号水路内に流れ込み、流れ込んだ水は、三方管３３を経て圧力スイッチ取付管３６に流れ込んで警報用圧力スイッチ３５を作動させる。このとき、一部の水は、三方管３３を経て排水部３４に排出されるが、排水部３４への水の排出がオリフィス（図示せず）によって絞られることにより、信号水路３０内の水圧が、警報用圧力スイッチ３５の作動に必要な圧力に保持される。
【００３０】
そして、このようにして警報用圧力スイッチ３５が作動すると、警報盤１７へ火災検知信号が送られ、モーターサイレンなどの警報器１５が鳴動すると共に、ポンプ制御盤１８へスプリンクラーポンプ１４の起動信号が送られ、スプリンクラーポンプ１４が作動して水源１９の水が、送水管１１とスプリンクラー管１２を介してスプリンクラーヘッド１３，１３，…へと送られ、消火用の散水が継続されるものである。なお、このとき、スプリンクラーが作動していない他の系統の流水検知装置２は、二次側配管１２２の水圧が高いため、弁体２２が回動せず、この系統のスプリンクラー管１２への送水はない。
【００３１】
また、スプリンクラー管１２の弁体２２の一次側配管１２１と二次側配管１２２との管路間には、弁体２２をバイパスするバイパス管２７が設けられている。このバイパス管２７の一端は、弁体ハウジング２０の弁体２２よりも二次側に接続されている一方、他端は、弁体ハウジング２０の弁体２２よりも一次側に接続されている。そして、バイパス管２７には、そのバイパス管２７の二次側を当該バイパス管２７の一次側に開放して調圧する調圧弁５が設けられている。この場合、調圧弁５は、バイパス管２７の一次側から二次側への加圧水の流通を規制して二次側から一次側への加圧水の流通のみを許容する逆止弁としての機能を有している。
【００３２】
図３は流水検知装置のバイパス管２７に設けられる調圧弁５の側面図、図４は図３のＸ−Ｘ線における断面図をそれぞれ示している。調圧弁５は、調圧弁ハウジング５０と、この調圧弁ハウジング５０内に設けられ、バイパス管２７の一次側及び二次側がそれぞれ連通口５１，５２を介して連通する連通室５３と、この連通室５３内に摺動自在に設けられ、バイパス管２７の二次側の連通口５２を連通室５３側（バイパス管２７の一次側）から閉弁する調圧弁体５４と、この調圧弁体５４をバイパス管２７の二次側の連通口５２に対し閉弁方向に付勢する付勢手段としての圧縮スプリング５５とを備えている。
【００３３】
調圧弁ハウジング５０は、バイパス管２７の一次側に連結される一次側通路５６が形成された有底筒形状の一次側ハウジング部５７と、バイパス管２７の二次側に連結される二次側通路５８が形成された二次側ハウジング部５９とを備え、両ハウジング部５７，５９が複数のボルト６０によって連結されている。連通室５３は、一次側ハウジング部５７に形成され、一次側及び二次側通路５６，５８を一次側及び二次側の連通口５１，５２を介して連通させている。二次側の連通口５２の周縁は、連通室５３に向かって略紡錘形状に膨出している。
【００３４】
調圧弁体５４は、二次側の連通口５２の周縁にパッキン６１を介して当接する第１弁体６２と、この第１弁体６２の背面に隙間を存して対向する第２弁体６３とを備えている。第１弁体６２と第２弁体６３との間の隙間は、当該弁体６２，６３同士の間に介設された球体６４によって形成されている。また、第１弁体６２及び第２弁体６３には、それぞれ連通路６２１，６３１が設けられている。この場合、弁体２２の一次側から一次側通路５６を介して連通室５３に流入した加圧水は、第１弁体６２と第２弁体６３との間の隙間に流通し、連通路６２１を介して二次側の連通口５２の周縁外方と第１弁体６２との間や、連通路６３１を介して第２弁体６３の背面側にも流通している。
【００３５】
圧縮スプリング５５は、第２弁体６３と一次側ハウジング部５７の底部に設けられた摺動片６５との間に縮装されている。摺動片６５は、一次側ハウジング部５７の底部より挿通されたボルト部材６６によって連通室５３側に進退移動可能となっていて、ボルト部材６６による進退移動量に伴って圧縮スプリング５５の付勢力を調節できるようにしている。この場合、圧縮スプリング５５は、弁体２２の一次側配管１２１の圧力に対する二次側配管１２２の圧力が予め設定した圧力差（例えば０．４ＭＰａ）を上回ったときに閉弁方向への付勢力に抗して調圧弁体５４を自動的に開弁させている
【００３６】
また、バイパス管２７には、調圧弁５よりも二次側において当該バイパス管２７の二次側からの異物を捕獲する捕獲手段としてのＹ形のストレーナ６７が設けられている。このストレーナ６７は、内部にメッシュスクリーン（図示せず）を備え、バイパス管２７の二次側からの異物を捕獲している。
【００３７】
更に、バイパス管２７には、調圧弁５よりも一次側において管路を開閉する第１開閉弁６８と、ストレーナ６７よりも二次側において管路を開閉する第２開閉弁６９とが設けられている。また、バイパス管２７の第１開閉弁６８と調圧弁５との間には、弁体２２の一次側の圧力を検出する一次側圧力検出手段としての一次側圧力計７０が分岐管７１を介して連結されている。一方、バイパス管２７の第２開閉弁６９よりも二次側には、弁体２２の二次側の圧力を検出する二次側圧力検出手段としての二次側圧力計７２が分岐管７３を介して連結されている。更に、バイパス管２７には、分岐管７３よりも二次側つまり第２開閉弁６９よりも二次側において管路を開閉する第３開閉弁７４が設けられている。
【００３８】
したがって、本実施の形態では、弁体２２の一次側配管１２１と二次側配管１２２との管路間、つまり弁体ハウジング２０の弁体２２よりも一次側と二次側との間に、弁体２２をバイパスするバイパス管２７を設け、このバイパス管２７に、弁体２２の一次側の圧力に対する二次側の圧力が予め設定した圧力差（例えば０．４ＭＰａ）を上回ったときにバイパス管２７の二次側を一次側に自動的に開放して調圧する調圧弁５が設けられているので、調圧弁５の開放時に弁体２２の二次側の加圧水が一次側に排出されることになる。このため、調圧弁５の開放時に弁体２２の二次側の加圧水には一次側の加圧水の圧力が常時作用することになり、調圧弁５の不具合や開放による弁体２２の一次側の圧力と二次側の圧力との逆転を禁止して弁体２２の開放を回避し、警報器１５の誤作動を確実に防止することができる。
【００３９】
また、バイパス管２７の二次側の連通口５２に対し調圧弁体５４を一次側から閉弁方向へ付勢する圧縮スプリング５５を設け、この圧縮スプリング５５によって、弁体２２の一次側の圧力に対する二次側の圧力が予め設定した圧力差を上回ったときに付勢力に抗してバイパス管２７の二次側を一次側に開放するように調圧弁５がバイパス管２７の二次側の連通口５２から離脱するので、弁体２２の二次側の圧力が著しく増大して一次側の圧力に対し予め設定した圧力差を上回れば、調圧弁５が圧縮スプリング５５の付勢力に抗して開弁し、弁体２２の二次側で増大した圧力を自動的に下げることができる。
【００４０】
また、バイパス管２７の調圧弁５よりも二次側において当該バイパス管２７の二次側からの異物を捕獲するストレーナ６７が設けられているので、調圧弁５への異物の侵入を防止して調圧弁５の不具合を効果的に回避することができる。
【００４１】
また、調圧弁５よりも一次側及びストレーナ６７よりも二次側においてそれぞれ管路を開閉する第１及び第２開閉弁６８，６９がバイパス管２７に設けられているので、調圧弁５及びストレーナ６７のメンテナンス時及び交換時などに第１及び第２開閉弁６８，６９を閉弁して弁体２２の一次側及び二次側からの加圧水の流通を防止し、調圧弁５及びストレーナ６７のメンテナンス作業及び交換作業を円滑に行うことができる。しかも、二次側の第２開閉弁６９のみを閉弁することで、バイパス管２７への加圧水の流通が遮断され、天井裏スペースで空気が滞留して気温の上昇による熱の影響を受け易い夏期以外のシーズンなどに流水検知装置２を通常状態に戻して使用することができる。
【００４２】
更に、バイパス管２７に弁体２２の一次側及び二次側の圧力を検出する一次側及び二次側圧力計７０，７２がそれぞれ設けられているので、一次側及び二次側圧力計７０，７２をそれぞれ個別にスプリンクラー管１２の管路に設ける必要がなく、バイパス管２７を利用して一次側及び二次側圧力計７０，７２をそれぞれ設けることができる。また、一次側及び二次側圧力計７０，７２のメンテナンス時及び交換時には第１及び第３開閉弁６８，７４を閉弁して弁体２２の一次側及び二次側からの加圧水の流通を遮断し、一次側及び二次側圧力計７０，７２のメンテナンス作業及び交換作業を円滑に行うことができる。
【００４３】
次に、本発明の第２の実施の形態を図５に基づいて説明する。
【００４４】
この第２の実施の形態では、バイパス管２７の連結箇所を変更している。図５は本発明の第２の実施の形態に係る流水検知装置２の構成を示す断面図を示している。なお、バイパス管２７の連結箇所を除くその他の構成は、前記第１の実施の形態と同じであり、同一部分については、同じ符号を付して、その詳細な説明は省略する。
【００４５】
すなわち、本実施の形態では、図５に示すように、弁体ハウジング２０は、スプリンクラー管１２の一次側配管１２１と二次側配管１２２との間にそれぞれスペーサ７５を介して介装されている。そして、バイパス管２７の一次側配管１２１に対する連結箇所が弁体ハウジング２０と一次側配管１２１との間のスペーサ７５に、バイパス管２７の二次側配管１２２に対する連結箇所が弁体ハウジング２０と二次側配管１２２との間のスペーサ７５にそれぞれ設けられている。この場合、弁体ハウジング２０は、スプリンクラー管１２の送水管１１側の一次側配管１２１とスプリンクラーヘッド１３側の二次側配管１２２との間にスペーサ７５を介して介装されるため、スペーサ７５の厚み分だけ長尺なボルト２０３とナット２０２とによって締結されている。
【００４６】
したがって、本実施の形態では、バイパス管２７を連結するに当たって、弁体ハウジング２０やスプリンクラー管１２の一次側配管１２１及び二次側配管１２２に連結用開口を設ける必要がなく、弁体ハウジング２０と一次側配管１２１又は二次側配管１２２との間のスペーサ７５に連結用開口を設けた状態でバイパス管２７が簡単に取り付けられ、流水検知装置２に対するバイパス管２７の汎用性を高めることができる。
【００４７】
次に、本発明の第３の実施の形態を図６に基づいて説明する。
【００４８】
この第３の実施の形態では、バイパス管２７の連結箇所を変更している。図６は本発明の第３の実施の形態に係る流水検知装置の構成を示す断面図を示している。なお、バイパス管２７の連結箇所を除くその他の構成は、前記第１の実施の形態と同じであり、同一部分については、同じ符号を付して、その詳細な説明は省略する。
【００４９】
すなわち、本実施の形態では、図６に示すように、バイパス管２７の一次側配管１２１側の連結箇所が一次側配管１２１に、バイパス管２７の二次側配管１２２側の連結箇所が二次側配管１２２にそれぞれ設けられている。また、一次側圧力計７０は、弁体ハウジング２０の弁体２２よりも一次側に連通路２７１を介して接続されている。一方、二次側圧力計７２は、弁体ハウジング２０の弁体２２よりも二次側に連通路２７２を介して接続されている。この連通路２７１，２７２には、第３開閉弁７４がそれぞれ設けられている。
【００５０】
また、弁体部２４の中心部には、補助逆止弁７６が設けられている。この補助逆止弁７６は、内部を軸線方向へ貫通して弁体ハウジング２０の一次側と二次側とを連通する貫通孔７７と、この貫通孔７７を開閉する球体状のボール弁体７８とを備えている。貫通孔７７の内部には、ボール弁体７８が閉弁時に着座するテーパーリング状の着座部７９と、貫通孔７７の二次側端（図６では上端）を直径方向へ架け渡され、ボール弁体７８が開弁時に貫通孔７７外へ移動するのを規制するロッド状の規制部材８０とが設けられている。そして、補助逆止弁７６は、寒暖による二次側での体積変化に起因する加圧水の圧力変化などによりボール弁体７８が開弁し、一次側通路５６から二次側通路５８への加圧水の流通を可能にしている。
【００５１】
したがって、本実施の形態では、一次側及び二次側圧力計７０，７２のメンテナンス時及び交換時にはそれぞれ該当する連通路２７１，２７２の第３開閉弁７４を閉弁して連通路２７１，２７２への加圧水の流通を防止し、一次側及び二次側圧力計７０，７２のメンテナンス作業及び交換作業を簡単に行うことができる。
【００５２】
しかも、弁体部２４に補助逆止弁７６が設けられているので、寒暖による二次側での体積変化に起因する加圧水の圧力変化などによる一次側通路５６から二次側通路５８への加圧水の流通も可能となり、バイパス管２７の調圧弁５と相俟って一次側通路５６と二次側通路５８との加圧水の圧力を最適に保つことができる。
【００５３】
なお、本発明は、前記各実施の形態に限定されるものではなく、その他種々の変形例を包含している。例えば、前記各実施の形態では、調圧弁５の調圧弁体５４を、第１弁体６２と第２弁体６３と両弁体６２，６３間に介設した球体６４とによって構成したが、図７に示すように、調圧弁５が、単一の調圧弁体８４によって構成されていてもよい。
具体的には、調圧弁体８４の先端を、バイパス管２７の二次側の連通口５２の周縁に設けられた環状パッキン８５に対し当接してシール可能な略円錐形状に形成する。また、圧縮スプリング５５を、調圧弁体８４と摺動片６５との間に縮装する。そして、調圧弁体８４に連通路８４１を設け、弁体２２の一次側から一次側通路５６を介して連通室５３に流入した加圧水を、連通路８４１を介して二次側の連通口５２の周縁と調圧弁体８４の先端との間や、調圧弁体８４の背面側にも流通させるようにしてもよい。
【００５４】
また、図８に示すように、調圧弁５を、単一の調圧弁体８６により構成し、この調圧弁体８６の先端を略円錐形状に形成して、バイパス管２７の二次側の連通口５２の周縁も調圧弁体８６の先端と同じ角度で傾斜するテーパ面に形成する。そして、調圧弁体８６の先端に、バイパス管２７の二次側の連通口５２の周縁に対し当接してシールする環状パッキン８７を収容する環状凹部８８を設ける。更に、調圧弁体８６にも連通路８６１を設け、弁体２２の一次側から一次側通路５６を介して連通室５３に流入した加圧水を、連通路８６１を介して二次側の連通口５２の周縁と調圧弁体８６の先端との間や、調圧弁体８６の背面側にも流通させるようにしてもよい。
【００５５】
また、図９に示すように、調圧弁５を、有底筒状に形成された単一の調圧弁体８９により構成し、この調圧弁体８９の底部側となる先端を、バイパス管２７の二次側の連通口５２の周縁の環状パッキン８５に対し当接してシール可能な略円錐形状に形成する。また、ボルト部材６６の先端側にその軸芯を通るロッド部材９０を挿通し、このロッド部材９０の先端を調圧弁体８９の内周面の先端に当接させる一方、中途部に調圧弁体８９の背面に対し間隙を存した状態で固定された鍔部９１を設ける。そして、圧縮スプリング５５を、ロッド部材９０が摺動自在に貫通する摺動片６５と当該ロッド部材９０の鍔部９１との間に縮装する。更に、鍔部９１にも連通路９１１を設け、弁体２２の一次側から一次側通路５６を介して連通室５３に流入した加圧水を、連通路８９１を介して二次側の連通口５２の周縁と調圧弁体８９の先端との間や調圧弁体８９の背面側に流通させるとともに、連通路９１１を介して鍔部９１の背面側にも流通させるようにしてもよい。この場合、圧縮スプリング５５の付勢力は、ボルト部材６６による摺動片６５の進退移動量に伴い調節されて鍔部９１に作用し、ロッド部材９０の先端が調圧弁体８９の先端を環状パッキン８５に対し効率よく押圧して、バイパス管２７の二次側の連通口５２に対するより高いシール性を発揮することが可能となる。
【００５６】
また、前記各実施の形態では、水源１９の水を加圧した加圧水を消火流体として利用したが、水源に貯留した水を加圧した後に薬剤を添加して混合された消火流体が利用されていてもよいのはいうまでもない。
【００５７】
また、前記各実施の形態では、弁体２２の開放時に流出する消火流体の一部が流れ込んで警報用圧力スイッチ３５を作動させ、警報盤１７へ火災検知信号を送出して警報器１５を鳴動させると共に、ポンプ制御盤１８へスプリンクラーポンプ１４の起動信号を送出する自動警報弁型の流水検知装置２に適用した場合について述べたが、弁体の開放時に二次側に流出する流水により揺動することで警報盤へ火災検知信号を送出して警報器を鳴動させると共に、ポンプ制御盤へスプリンクラーポンプの起動信号を送出するようにした、逆止弁構造を併設するパドル型の流水検知装置や、弁体の開放時に軸を介して回動自在に枢着した弁体の開放姿勢又は軸の回転量等に基づいて警報盤へ火災検知信号を送出して警報器を鳴動させると共に、ポンプ制御盤へスプリンクラーポンプの起動信号を送出するようにした作動弁型の流水検知装置に適用してもよい。
【００５８】
更に、前記各実施の形態では、バイパス管２７に、弁体２２の一次側の圧力に対する二次側の圧力が予め設定した圧力差を上回ったときに圧縮スプリング５５の付勢力に抗して調圧弁体５４，８４，８６，８９を開弁することでバイパス管２７の二次側を一次側に自動的に開放して調圧する調圧弁５を設けたが、バイパス管に、弁体の一次側の圧力に対する二次側の圧力が予め設定した圧力差を上回ったときにバイパス管の二次側を当該バイパス管の一次側に手動で開放して調圧する開閉弁などの調圧弁が設けられていてもよい。この場合、天井裏スペースで空気が滞留して気温の上昇による熱の影響を受け易い夏期等のシーズンにあっては、定期的（例えば最も気温が上昇する昼間など）に手動で調圧弁を開放させればよい。
【符号の説明】
【００５９】
１２      スプリンクラー管
１２１    一次側配管（一次側の管路）
１２２    二次側配管（二次側の管路）
１５      警報器
２        流水検知装置
２２      弁体
２７      バイパス管
５        調圧弁
５２      二次側の連通口
５３      連通室
５４      調圧弁体
５５      圧縮スプリング（付勢手段）
６７      ストレーナ（捕獲手段）
６８      第１開閉弁
６９      第２開閉弁
７０      一次側圧力計（一次側圧力検出手段）
７２      二次側圧力計（二次側圧力検出手段）
７４      第３開閉弁
８４      調圧弁体
８６      調圧弁体
８９      調圧弁体
【図１】
2015097615.tif 000003
【図２】
2015097615.tif 000004
【図３】
2015097615.tif 000005
【図４】
2015097615.tif 000006
【図５】
2015097615.tif 000007
【図６】
2015097615.tif 000008
【図７】
2015097615.tif 000009
【図８】
2015097615.tif 000010
【図９】
2015097615.tif 000011
【手続補正書】
【提出日】平成26年10月14日(2014.10.14)
【手続補正１】
【補正対象書類名】特許請求の範囲
【補正対象項目名】全文
【補正方法】変更
【補正の内容】
【特許請求の範囲】
【請求項１】
スプリンクラー管の管路を平常時に一次側と二次側とに区画するように閉鎖する一方火災発生時に二次側の圧力低下により一次側を二次側に連通させるように開放する弁体を備え、この弁体の開放時に警報器に作動信号を送出するようにした流水検知装置において、
前記管路の一次側と二次側との間には、前記弁体を収容する弁体ハウジングが介設され、
前記弁体ハウジングのうちの前記弁体よりも一次側には、その一次側の圧力を検出する一次側圧力検出手段が分岐管を介して連結されているとともに、前記弁体ハウジングのうちの前記弁体よりも二次側には、その二次側の圧力を検出する二次側圧力検出手段が分岐管を介して連結され、
前記各分岐管には、前記一次側圧力検出手段の一次側及び前記二次側圧力検出手段の二次側の管路をそれぞれ個別に開閉する第１及び第３開閉弁が設けられているとともに、
前記一次側圧力検出手段の一次側を開閉する前記第１開閉弁よりも一次側圧力検出手段側の管路と前記二次側圧力検出手段の二次側を開閉する前記第３開閉弁よりも二次側圧力検出手段側の管路との間には、前記弁体をバイパスするバイパス管が連結され、
前記バイパス管には、
前記弁体の一次側の圧力に対する二次側の圧力が予め設定した圧力差を上回ったときに前記バイパス管の二次側を当該バイパス管の一次側に開放して調圧する調圧弁と、
前記調圧弁よりも二次側において管路を開閉する第２開閉弁と、
が設けられていることを特徴とする流水検知装置。
【請求項２】
スプリンクラー管の管路を平常時に一次側と二次側とに区画するように閉鎖する一方火災発生時に二次側の圧力低下により一次側を二次側に連通させるように開放する弁体を備え、この弁体の開放時に警報器に作動信号を送出するようにした流水検知装置において、
前記管路の一次側と二次側との間に介設され、前記弁体を収容する弁体ハウジングと、
前記管路の一次側と前記弁体ハウジングとの間に介設された一次側のスペーサと、
前記管路の二次側と前記弁体ハウジングとの間に介設された二次側のスペーサと、が備えられ、
前記一次側のスペーサに、前記管路の一次側の圧力を検出する一次側圧力検出手段が分岐管を介して連結されているとともに、前記二次側のスペーサに、前記管路の二次側の圧力を検出する二次側圧力検出手段が分岐管を介して連結され、
前記各分岐管には、前記一次側圧力検出手段の一次側及び前記二次側圧力検出手段の二次側の管路をそれぞれ個別に開閉する第１及び第３開閉弁が設けられているとともに、
前記一次側圧力検出手段の一次側を開閉する前記第１開閉弁よりも一次側圧力検出手段側の管路と前記二次側圧力検出手段の二次側を開閉する前記第３開閉弁よりも二次側圧力検出手段側の管路との間には、前記弁体をバイパスするバイパス管が連結され、
前記バイパス管には、
前記弁体の一次側の圧力に対する二次側の圧力が予め設定した圧力差を上回ったときに前記バイパス管の二次側を当該バイパス管の一次側に開放して調圧する調圧弁と、
前記調圧弁よりも二次側において管路を開閉する第２開閉弁と、
が設けられていることを特徴とする流水検知装置。
【請求項３】
前記バイパス管における前記調圧弁と前記第２開閉弁との間に、前記バイパス管の二次側からの異物を捕獲する捕獲手段が設けられている請求項１又は請求項２に記載の流水検知装置。
【請求項４】
前記調圧弁は、前記バイパス管の一次側及び二次側が連通する連通室内に設けられ、かつその二次側の連通口を一次側から閉弁する調圧弁体と、この調圧弁体を前記連通室の二次側の連通口に対し閉弁方向に付勢する付勢手段とを備え、
前記付勢手段は、前記弁体の一次側の圧力に対する二次側の圧力が前記圧力差を上回ったときに閉弁方向の付勢力に抗して前記調圧弁体を開弁させている請求項１〜請求項３のいずれか１つに記載の流水検知装置。
【請求項５】
前記連通室は、前記バイパス管の一次側の連通口が開口する一次側ハウジング部に設けられ、
前記付勢手段は、前記調圧弁体と前記一次側ハウジング部の底部より挿通されたボルト部材の進退移動によって前記連通室側に対し摺動する摺動片との間に縮装されて、前記連通室の二次側の連通口に対する前記調圧弁体の閉弁方向への付勢力を調節可能としている請求項４に記載の流水検知装置。
【手続補正２】
【補正対象書類名】明細書
【補正対象項目名】００１１
【補正方法】変更
【補正の内容】
【００１１】
前記目的を達成するため、本発明が講じた解決手段は、スプリンクラー管の管路を平常時に一次側と二次側とに区画するように閉鎖する一方火災発生時に二次側の圧力低下により一次側を二次側に連通させるように開放する弁体を備え、この弁体の開放時に警報器に作動信号を送出するようにした流水検知装置を前提とする。また、前記管路の一次側と二次側との間に、前記弁体を収容する弁体ハウジングが介設され、前記弁体ハウジングのうちの前記弁体よりも一次側に、その一次側の圧力を検出する一次側圧力検出手段が分岐管を介して連結されているとともに、前記弁体ハウジングのうちの前記弁体よりも二次側に、その二次側の圧力を検出する二次側圧力検出手段が分岐管を介して連結されている。そして、前記各分岐管に、前記一次側圧力検出手段の一次側及び前記二次側圧力検出手段の二次側の管路をそれぞれ個別に開閉する第１及び第３開閉弁を設けるとともに、前記一次側圧力検出手段の一次側を開閉する前記第１開閉弁よりも一次側圧力検出手段側の管路と前記二次側圧力検出手段の二次側を開閉する前記第３開閉弁よりも二次側圧力検出手段側の管路との間に、前記弁体をバイパスするバイパス管を連結する。更に、前記バイパス管に、前記弁体の一次側の圧力に対する二次側の圧力が予め設定した圧力差を上回ったときに前記バイパス管の二次側を当該バイパス管の一次側に開放して調圧する調圧弁と、前記調圧弁よりも二次側において管路を開閉する第２開閉弁と、を設けることを特徴としている。
【手続補正３】
【補正対象書類名】明細書
【補正対象項目名】００１２
【補正方法】変更
【補正の内容】
【００１２】
また、前記目的を達成するため、本発明が講じたその他の解決手段は、スプリンクラー管の管路を平常時に一次側と二次側とに区画するように閉鎖する一方火災発生時に二次側の圧力低下により一次側を二次側に連通させるように開放する弁体を備え、この弁体の開放時に警報器に作動信号を送出するようにした流水検知装置を同様に前提とする。更に、前記管路の一次側と二次側との間に介設され、前記弁体を収容する弁体ハウジングと、前記管路の一次側と前記弁体ハウジングとの間に介設された一次側のスペーサと、前記管路の二次側と前記弁体ハウジングとの間に介設された二次側のスペーサと、を備えている。また、前記一次側のスペーサに、前記管路の一次側の圧力を検出する一次側圧力検出手段が分岐管を介して連結されているとともに、前記二次側のスペーサに、前記管路の二次側の圧力を検出する二次側圧力検出手段が分岐管を介して連結されている。そして、前記各分岐管に、前記一次側圧力検出手段の一次側及び前記二次側圧力検出手段の二次側の管路をそれぞれ個別に開閉する第１及び第３開閉弁を設けるとともに、前記一次側圧力検出手段の一次側を開閉する前記第１開閉弁よりも一次側圧力検出手段側の管路と前記二次側圧力検出手段の二次側を開閉する前記第３開閉弁よりも二次側圧力検出手段側の管路との間には、前記弁体をバイパスするバイパス管を連結する。更に、前記バイパス管に、前記弁体の一次側の圧力に対する二次側の圧力が予め設定した圧力差を上回ったときに前記バイパス管の二次側を当該バイパス管の一次側に開放して調圧する調圧弁と、前記調圧弁よりも二次側において管路を開閉する第２開閉弁と、を設けることを特徴としている。
【手続補正４】
【補正対象書類名】明細書
【補正対象項目名】００１３
【補正方法】変更
【補正の内容】
【００１３】
また、前記バイパス管における前記調圧弁と前記第２開閉弁との間に、前記バイパス管の二次側からの異物を捕獲する捕獲手段を設けることが好ましい。
【手続補正５】
【補正対象書類名】明細書
【補正対象項目名】００１４
【補正方法】変更
【補正の内容】
【００１４】
また、前記調圧弁に、前記バイパス管の一次側及び二次側が連通する連通室内に設けられ、かつその二次側の連通口を一次側から閉弁する調圧弁体と、この調圧弁体を前記連通室の二次側の連通口に対し閉弁方向に付勢する付勢手段とを設ける。そして、前記付勢手段は、前記弁体の一次側の圧力に対する二次側の圧力が前記圧力差を上回ったときに閉弁方向の付勢力に抗して前記調圧弁体を開弁させることが好ましい。
【手続補正６】
【補正対象書類名】明細書
【補正対象項目名】００１５
【補正方法】変更
【補正の内容】
【００１５】
更に、前記連通室を、前記バイパス管の一次側の連通口が開口する一次側ハウジング部に設ける。そして、前記付勢手段を、前記調圧弁体と前記一次側ハウジング部の底部より挿通されたボルト部材の進退移動によって前記連通室側に対し摺動する摺動片との間に縮装して、前記連通室の二次側の連通口に対する前記調圧弁体の閉弁方向への付勢力を調節可能とすることが好ましい。
【手続補正７】
【補正対象書類名】明細書
【補正対象項目名】００２１
【補正方法】変更
【補正の内容】
【００２１】
【図１】本発明の第１の実施の形態に係る流水検知装置を備えたスプリンクラーシステムを概略的に示す構成図である。
【図２】図１の流水検知装置の構成を示す断面図である。
【図３】図１の流水検知装置のバイパス管に設けられる調圧弁の側面図である。
【図４】図３のＸ−Ｘ線における断面図である。
【図５】本発明の第２の実施の形態に係る流水検知装置の構成を示す断面図である。
【図６】参考例に係る流水検知装置の構成を示す断面図である。
【図７】各実施の形態の変形例に係る調圧弁の断面図である。
【図８】各実施の形態のその他の変形例に係る調圧弁の断面図である。
【図９】各実施の形態のその他の変形例に係る調圧弁の断面図である。
【手続補正８】
【補正対象書類名】明細書
【補正対象項目名】００４７
【補正方法】変更
【補正の内容】
【００４７】
次に、参考例を図６に基づいて説明する。
【手続補正９】
【補正対象書類名】明細書
【補正対象項目名】００４８
【補正方法】変更
【補正の内容】
【００４８】
この参考例では、バイパス管２７の連結箇所を変更している。図６は参考例に係る流水検知装置の構成を示す断面図を示している。なお、バイパス管２７の連結箇所を除くその他の構成は、前記第１の実施の形態と同じであり、同一部分については、同じ符号を付して、その詳細な説明は省略する。
【手続補正１０】
【補正対象書類名】明細書
【補正対象項目名】００４９
【補正方法】変更
【補正の内容】
【００４９】
すなわち、この参考例では、図６に示すように、バイパス管２７の一次側配管１２１側の連結箇所が一次側配管１２１に、バイパス管２７の二次側配管１２２側の連結箇所が二次側配管１２２にそれぞれ設けられている。また、一次側圧力計７０は、弁体ハウジング２０の弁体２２よりも一次側に連通路２７１を介して接続されている。一方、二次側圧力計７２は、弁体ハウジング２０の弁体２２よりも二次側に連通路２７２を介して接続されている。この連通路２７１，２７２には、第３開閉弁７４がそれぞれ設けられている。
【手続補正１１】
【補正対象書類名】明細書
【補正対象項目名】００５１
【補正方法】変更
【補正の内容】
【００５１】
したがって、この参考例では、一次側及び二次側圧力計７０，７２のメンテナンス時及び交換時にはそれぞれ該当する連通路２７１，２７２の第３開閉弁７４を閉弁して連通路２７１，２７２への加圧水の流通を防止し、一次側及び二次側圧力計７０，７２のメンテナンス作業及び交換作業を簡単に行うことができる。
【手続補正１２】
【補正対象書類名】明細書
【補正対象項目名】００５９
【補正方法】変更
【補正の内容】
【００５９】
１２      スプリンクラー管
１２１    一次側配管（一次側の管路）
１２２    二次側配管（二次側の管路）
１５      警報器
２        流水検知装置
２０ 弁体ハウジング
２２      弁体
２７      バイパス管
５        調圧弁
５２      二次側の連通口
５３      連通室
５４      調圧弁体
５５      圧縮スプリング（付勢手段）
６５ 摺動片
６６ ボルト部材
６７      ストレーナ（捕獲手段）
６８      第１開閉弁
６９      第２開閉弁
７０      一次側圧力計（一次側圧力検出手段）
７２      二次側圧力計（二次側圧力検出手段）
７４      第３開閉弁
７５ スペーサ（一次側及び二次側のスペーサ）
８４      調圧弁体
８６      調圧弁体
８９      調圧弁体
【手続補正書】
【提出日】平成27年1月15日(2015.1.15)
【手続補正１】
【補正対象書類名】特許請求の範囲
【補正対象項目名】全文
【補正方法】変更
【補正の内容】
【特許請求の範囲】
【請求項１】
スプリンクラー管の管路を平常時に一次側と二次側とに区画するように閉鎖する一方火災発生時に二次側の圧力低下により一次側を二次側に連通させるように開放する弁体を備え、この弁体の開放時に警報器に作動信号を送出するようにした流水検知装置において、
前記管路の一次側と二次側との間に介設され、前記弁体を収容する弁体ハウジングと、
前記管路の一次側と前記弁体ハウジングとの間に介設された一次側のスペーサと、
前記管路の二次側と前記弁体ハウジングとの間に介設された二次側のスペーサと、が備えられ、
前記一次側のスペーサに、前記管路の一次側の圧力を検出する一次側圧力検出手段が分岐管を介して連結されているとともに、前記二次側のスペーサに、前記管路の二次側の圧力を検出する二次側圧力検出手段が分岐管を介して連結され、
前記各分岐管には、前記一次側圧力検出手段の一次側及び前記二次側圧力検出手段の二次側の管路をそれぞれ個別に開閉する第１及び第３開閉弁が設けられているとともに、
前記一次側圧力検出手段の一次側を開閉する前記第１開閉弁よりも一次側圧力検出手段側の管路と前記二次側圧力検出手段の二次側を開閉する前記第３開閉弁よりも二次側圧力検出手段側の管路との間には、前記弁体をバイパスするバイパス管が連結され、
前記バイパス管には、
前記弁体の一次側の圧力に対する二次側の圧力が予め設定した圧力差を上回ったときに前記バイパス管の二次側を当該バイパス管の一次側に開放して調圧する調圧弁と、
前記調圧弁よりも二次側において管路を開閉する第２開閉弁と、
が設けられていることを特徴とする流水検知装置。
【請求項２】
前記バイパス管における前記調圧弁と前記第２開閉弁との間に、前記バイパス管の二次側からの異物を捕獲する捕獲手段が設けられている請求項１に記載の流水検知装置。
【請求項３】
前記調圧弁は、前記バイパス管の一次側及び二次側が連通する連通室内に設けられ、かつその二次側の連通口を一次側から閉弁する調圧弁体と、この調圧弁体を前記連通室の二次側の連通口に対し閉弁方向に付勢する付勢手段とを備え、
前記付勢手段は、前記弁体の一次側の圧力に対する二次側の圧力が前記圧力差を上回ったときに閉弁方向の付勢力に抗して前記調圧弁体を開弁させている請求項１又は請求項２に記載の流水検知装置。
【請求項４】
前記連通室は、前記バイパス管の一次側の連通口が開口する一次側ハウジング部に設けられ、
前記付勢手段は、前記調圧弁体と前記一次側ハウジング部の底部より挿通されたボルト部材の進退移動によって前記連通室側に対し摺動する摺動片との間に縮装されて、前記連通室の二次側の連通口に対する前記調圧弁体の閉弁方向への付勢力を調節可能としている請求項３に記載の流水検知装置。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】変更
【補正の内容】
【００１２】
前記目的を達成するため、本発明が講じた解決手段は、スプリンクラー管の管路を平常時に一次側と二次側とに区画するように閉鎖する一方火災発生時に二次側の圧力低下により一次側を二次側に連通させるように開放する弁体を備え、この弁体の開放時に警報器に作動信号を送出するようにした流水検知装置を同様に前提とする。更に、前記管路の一次側と二次側との間に介設され、前記弁体を収容する弁体ハウジングと、前記管路の一次側と前記弁体ハウジングとの間に介設された一次側のスペーサと、前記管路の二次側と前記弁体ハウジングとの間に介設された二次側のスペーサと、を備えている。また、前記一次側のスペーサに、前記管路の一次側の圧力を検出する一次側圧力検出手段が分岐管を介して連結されているとともに、前記二次側のスペーサに、前記管路の二次側の圧力を検出する二次側圧力検出手段が分岐管を介して連結されている。そして、前記各分岐管に、前記一次側圧力検出手段の一次側及び前記二次側圧力検出手段の二次側の管路をそれぞれ個別に開閉する第１及び第３開閉弁を設けるとともに、前記一次側圧力検出手段の一次側を開閉する前記第１開閉弁よりも一次側圧力検出手段側の管路と前記二次側圧力検出手段の二次側を開閉する前記第３開閉弁よりも二次側圧力検出手段側の管路との間には、前記弁体をバイパスするバイパス管を連結する。更に、前記バイパス管に、前記弁体の一次側の圧力に対する二次側の圧力が予め設定した圧力差を上回ったときに前記バイパス管の二次側を当該バイパス管の一次側に開放して調圧する調圧弁と、前記調圧弁よりも二次側において管路を開閉する第２開閉弁と、を設けることを特徴としている。
【手続補正４】
【補正対象書類名】明細書
【補正対象項目名】００２１
【補正方法】変更
【補正の内容】
【００２１】
【図１】本発明の参考例１に係る流水検知装置を備えたスプリンクラーシステムを概略的に示す構成図である。
【図２】図１の流水検知装置の構成を示す断面図である。
【図３】図１の流水検知装置のバイパス管に設けられる調圧弁の側面図である。
【図４】図３のＸ−Ｘ線における断面図である。
【図５】本発明の実施の形態に係る流水検知装置の構成を示す断面図である。
【図６】本発明の参考例２に係る流水検知装置の構成を示す断面図である。
【図７】実施の形態の変形例に係る調圧弁の断面図である。
【図８】実施の形態のその他の変形例に係る調圧弁の断面図である。
【図９】実施の形態のその他の変形例に係る調圧弁の断面図である。
【手続補正５】
【補正対象書類名】明細書
【補正対象項目名】００２３
【補正方法】変更
【補正の内容】
【００２３】
図１は本発明の参考例１に係る流水検知装置を備えたスプリンクラーシステムを概略的に示す構成図であって、２は流水検知装置である。この流水検知装置２は、スプリンクラーシステムに組み込まれ、使用されるものである。
【手続補正６】
【補正対象書類名】明細書
【補正対象項目名】００３８
【補正方法】変更
【補正の内容】
【００３８】
したがって、本参考例１では、弁体２２の一次側配管１２１と二次側配管１２２との管路間、つまり弁体ハウジング２０の弁体２２よりも一次側と二次側との間に、弁体２２をバイパスするバイパス管２７を設け、このバイパス管２７に、弁体２２の一次側の圧力に対する二次側の圧力が予め設定した圧力差（例えば０．４ＭＰａ）を上回ったときにバイパス管２７の二次側を一次側に自動的に開放して調圧する調圧弁５が設けられているので、調圧弁５の開放時に弁体２２の二次側の加圧水が一次側に排出されることになる。このため、調圧弁５の開放時に弁体２２の二次側の加圧水には一次側の加圧水の圧力が常時作用することになり、調圧弁５の不具合や開放による弁体２２の一次側の圧力と二次側の圧力との逆転を禁止して弁体２２の開放を回避し、警報器１５の誤作動を確実に防止することができる。
【手続補正７】
【補正対象書類名】明細書
【補正対象項目名】００４３
【補正方法】変更
【補正の内容】
【００４３】
次に、本発明の実施の形態を図５に基づいて説明する。
【手続補正８】
【補正対象書類名】明細書
【補正対象項目名】００４４
【補正方法】変更
【補正の内容】
【００４４】
この実施の形態では、バイパス管２７の連結箇所を変更している。図５は本発明の実施の形態に係る流水検知装置２の構成を示す断面図を示している。なお、バイパス管２７の連結箇所を除くその他の構成は、前記参考例１と同じであり、同一部分については、同じ符号を付して、その詳細な説明は省略する。
【手続補正９】
【補正対象書類名】明細書
【補正対象項目名】００４７
【補正方法】変更
【補正の内容】
【００４７】
次に、本発明の参考例２を図６に基づいて説明する。
【手続補正１０】
【補正対象書類名】明細書
【補正対象項目名】００４８
【補正方法】変更
【補正の内容】
【００４８】
この参考例２では、バイパス管２７の連結箇所を変更している。図６は参考例２に係る流水検知装置の構成を示す断面図を示している。なお、バイパス管２７の連結箇所を除くその他の構成は、前記参考例１と同じであり、同一部分については、同じ符号を付して、その詳細な説明は省略する。
【手続補正１１】
【補正対象書類名】明細書
【補正対象項目名】００５３
【補正方法】変更
【補正の内容】
【００５３】
なお、本発明は、前記実施の形態及び各参考例に限定されるものではなく、その他種々の変形例を包含している。例えば、前記参考例１では、調圧弁５の調圧弁体５４を、第１弁体６２と第２弁体６３と両弁体６２，６３間に介設した球体６４とによって構成したが、図７に示すように、調圧弁５が、単一の調圧弁体８４によって構成されていてもよい。
具体的には、調圧弁体８４の先端を、バイパス管２７の二次側の連通口５２の周縁に設けられた環状パッキン８５に対し当接してシール可能な略円錐形状に形成する。また、圧縮スプリング５５を、調圧弁体８４と摺動片６５との間に縮装する。そして、調圧弁体８４に連通路８４１を設け、弁体２２の一次側から一次側通路５６を介して連通室５３に流入した加圧水を、連通路８４１を介して二次側の連通口５２の周縁と調圧弁体８４の先端との間や、調圧弁体８４の背面側にも流通させるようにしてもよい。
【手続補正１２】
【補正対象書類名】明細書
【補正対象項目名】００５６
【補正方法】変更
【補正の内容】
【００５６】
また、前記実施の形態及び各参考例では、水源１９の水を加圧した加圧水を消火流体として利用したが、水源に貯留した水を加圧した後に薬剤を添加して混合された消火流体が利用されていてもよいのはいうまでもない。
【手続補正１３】
【補正対象書類名】明細書
【補正対象項目名】００５７
【補正方法】変更
【補正の内容】
【００５７】
また、前記実施の形態及び各参考例では、弁体２２の開放時に流出する消火流体の一部が流れ込んで警報用圧力スイッチ３５を作動させ、警報盤１７へ火災検知信号を送出して警報器１５を鳴動させると共に、ポンプ制御盤１８へスプリンクラーポンプ１４の起動信号を送出する自動警報弁型の流水検知装置２に適用した場合について述べたが、弁体の開放時に二次側に流出する流水により揺動することで警報盤へ火災検知信号を送出して警報器を鳴動させると共に、ポンプ制御盤へスプリンクラーポンプの起動信号を送出するようにした、逆止弁構造を併設するパドル型の流水検知装置や、弁体の開放時に軸を介して回動自在に枢着した弁体の開放姿勢又は軸の回転量等に基づいて警報盤へ火災検知信号を送出して警報器を鳴動させると共に、ポンプ制御盤へスプリンクラーポンプの起動信号を送出するようにした作動弁型の流水検知装置に適用してもよい。
【手続補正１４】
【補正対象書類名】明細書
【補正対象項目名】００５８
【補正方法】変更
【補正の内容】
【００５８】
更に、前記実施の形態及び各参考例では、バイパス管２７に、弁体２２の一次側の圧力に対する二次側の圧力が予め設定した圧力差を上回ったときに圧縮スプリング５５の付勢力に抗して調圧弁体５４，８４，８６，８９を開弁することでバイパス管２７の二次側を一次側に自動的に開放して調圧する調圧弁５を設けたが、バイパス管に、弁体の一次側の圧力に対する二次側の圧力が予め設定した圧力差を上回ったときにバイパス管の二次側を当該バイパス管の一次側に手動で開放して調圧する開閉弁などの調圧弁が設けられていてもよい。この場合、天井裏スペースで空気が滞留して気温の上昇による熱の影響を受け易い夏期等のシーズンにあっては、定期的（例えば最も気温が上昇する昼間など）に手動で調圧弁を開放させればよい。